(57)【要約】      （修正有） 【課題】簡易な構成で不正利用に対処することが可能になる、ロック機構付き保管箱を提供する。【解決手段】ロック機構つき保管箱であって、ロック機構は、スリット及び硬貨送出口を有する硬貨収納路、が形成された本体部と、本体部からの付勢力により一時固定された圧接部材１１５と、係止部材１１７及び解除部材１１６から構成される係止手段とを有し、解除部材１１６の一端は硬貨送出口の内部まで延伸しており、所定枚数の硬貨が硬貨収納路内に縦列に配置されるときに硬貨収納路、圧接部材１１５の端部、及び解除部材１１６の端部１１６ｂによって形成される空隙が、縦列に配置された硬貨の一部がスリットから外部に露出した状態となる程度の大きさを有する。【選択図】図３
0003154661.tif 000002
【実用新案登録請求の範囲】
【請求項１】
開口を有する筺体と、
蓋部と、
前記筺体又は前記蓋部のいずれか一方に設けられ、前記蓋部が前記開口を覆った状態で前記蓋部を前記筺体に固定する、硬貨が挿入される硬貨挿入口が設けられたロック機構と、
前記筺体又は前記蓋部の、前記ロック機構が設けられていない方に設けられた圧接突起及び係合突起とを備え、
前記ロック機構は、
その一端に前記硬貨挿入口及びその他端に前記硬貨が送出される硬貨送出口を有する、挿入された硬貨がその外径に沿って縦列に配置される硬貨収納路、が形成された本体部と、
前記蓋部が前記開口を覆った状態においては、一端が前記圧接突起に圧接することにより回動して他端が前記硬貨送出口の一部を遮蔽し、前記蓋部が前記開口から離れた状態においては、前記一端と前記圧接突起との圧接が解除されることにより回動して前記硬貨送出口の遮蔽された前記一部を開放する、前記本体部からの付勢力により一時固定された圧接部材と、
前記蓋部が前記開口を覆った状態において前記係合突起に係止する係止部材、及び前記蓋部が前記開口を覆った状態であって、かつ前記硬貨収納路に収納された硬貨が押圧を受けた状態において、前記押圧を利用して前記係合突起と前記係止部材との係止を解除する解除部材から構成される係止手段と、を有し、
前記解除部材の一端は前記硬貨送出口の内部まで延伸しており、
前記蓋部が前記開口を覆った状態において所定枚数の硬貨が前記硬貨収納路内に縦列に配置されるときに前記硬貨収納路、前記圧接部材の前記他端、及び前記係止手段の前記解除部材の前記一端によって形成される空隙が、縦列に配置された前記硬貨の一部が前記硬貨挿入口から外部に露出した状態となる程度の大きさを有する、ロック機構付き保管箱。
【請求項２】
前記係止部材及び前記解除部材は各々独立した部材であって、
前記係止部材は前記本体部からの付勢力により一時固定されており、
前記解除部材の他端は、前記硬貨収納路に収納された硬貨を介した押圧によって前記付勢力に抗して回動し、前記係止部材は、回動する前記解除部材の前記他端に応動することにより前記係合突起との係止が解除されるものである、
請求項１に記載のロック機構付き保管箱。
【請求項３】
前記係止部材及び前記解除部材は、前記本体部からの付勢力により一時固定された、一体的な部材であって、
前記解除部材の他端は、前記硬貨収納路に収納された硬貨を介した押圧によって前記付勢力に抗して回動し、前記解除部材の前記一端でもある前記係止部材は、回動する前記解除部材の前記他端に応動することにより前記係合突起との係止が解除されるものである、
請求項１に記載のロック機構付き保管箱。
【請求項４】
前記ロック機構は、前記筺体に設けられており、
前記圧接突起及び前記係合突起は、前記蓋部に設けられている、
請求項１から３のいずれかに記載のロック機構付き保管箱。
【請求項５】
前記ロック機構は前記蓋部又は前記筺体部から脱着自在であるとともに、
前記本体部をその内部に格納し、前記硬貨送出口から送出される硬貨を収蔵する硬貨収蔵部を更に有するものである、請求項１から４のいずれかに記載のロック機構付き保管箱。
【考案の詳細な説明】
【技術分野】
【０００１】
本考案は、ロック機構付き保管箱に関する。
【背景技術】
【０００２】
従来より、家庭や職場内における利用を目的とする、常備用の救急箱を用いた配置販売、いわゆる「置き薬」が医薬品の販売の一形態として知られている。配置販売においては、利用者は、配置販売業者が提供する救急箱（例えば特許文献１を参照）に収納された医薬品を使用することができ、配置販売業者は、定期的に消耗した医薬品を補充するとともに、その代金を清算し利用者から徴収するようにしている。
【０００３】
配置販売のように、商品を保管箱に保管しておき、使用の程度に応じて料金を徴収するシステムは、菓子の販売においても「置き菓子」として知られている。こちらの場合は、価格のばらつきの少ない商品を料金箱つきの保管箱に納めておき、利用者は商品相当額の硬貨を料金箱に投入し、所望の商品を保管箱から取り出すようにしている。料金箱を併設したことにより業者による清算、入金の手間が省かれるようになっている。
【先行技術文献】
【特許文献】
【０００４】
【特許文献１】実開平０５−０８９２２４号公報
【考案の概要】
【考案が解決しようとする課題】
【０００５】
しかしながら、上記従来の技術に例示されるような、配置販売等に用いられる保管箱は、以下のような課題を有していた。すなわち、保管箱自体は、機能的には無施錠又は簡易的な施錠がなされた収納容器であって、商品保管時のセキュリティまで考慮するものではないため、不正使用を誘発する恐れがあった。
【０００６】
一方、上記のような不具合を解決するものとして自動販売機が考えられる。自動販売機は投入された硬貨、紙幣の額に応じて保管する商品を自動的に搬出することができ、保管庫としてのセキュリティに優れる。しかしながら、電気的、機械的に複雑な機構を必要とする高コストなものであり、家庭やオフィス等における商品の販売に適するとは言えない。
【０００７】
本考案は、上記の課題に鑑みてなされたものであり、配置販売等に好適な、簡易かつ安価な構成で不正利用に対処することが可能なロック機構付き保管箱を提供することを目的とする。
【課題を解決するための手段】
【０００８】
上記の目的を達成するために、本考案の第１の側面は、開口を有する筺体と、
蓋部と、
前記筺体又は前記蓋部のいずれか一方に設けられ、前記蓋部が前記開口を覆った状態で前記蓋部を前記筺体に固定する、硬貨が挿入される硬貨挿入口が設けられたロック機構と、
前記筺体又は前記蓋部の、前記ロック機構が設けられていない方に設けられた圧接突起及び係合突起とを備え、
前記ロック機構は、
その一端に前記硬貨挿入口及びその他端に前記硬貨が送出される硬貨送出口を有する、挿入された硬貨がその外径に沿って縦列に配置される硬貨収納路、が形成された本体部と、
前記蓋部が前記開口を覆った状態においては、一端が前記圧接突起に圧接することにより回動して他端が前記硬貨送出口の一部を遮蔽し、前記蓋部が前記開口から離れた状態においては、前記一端と前記圧接突起との圧接が解除されることにより回動して前記硬貨送出口の遮蔽された前記一部を開放する、前記本体部からの付勢力により一時固定された圧接部材と、
前記蓋部が前記開口を覆った状態において前記係合突起に係止する係止部材、及び前記蓋部が前記開口を覆った状態であって、かつ前記硬貨収納路に収納された硬貨が押圧を受けた状態において、前記押圧を利用して前記係合突起と前記係止部材との係止を解除する解除部材から構成される係止手段と、を有し、
前記解除部材の一端は前記硬貨送出口の内部まで延伸しており、
前記蓋部が前記開口を覆った状態において所定枚数の硬貨が前記硬貨収納路内に縦列に配置されるときに前記硬貨収納路、前記圧接部材の前記他端、及び前記係止手段の前記解除部材の前記一端によって形成される空隙が、縦列に配置された前記硬貨の一部が前記硬貨挿入口から外部に露出した状態となる程度の大きさを有する、ロック機構付き保管箱であることを特徴とする。
【０００９】
又、本考案の第２の側面は、前記係止部材及び前記解除部材は各々独立した部材であって、
前記係止部材は前記本体部からの付勢力により一時固定されており、
前記解除部材の他端は、前記硬貨収納路に収納された硬貨を介した押圧によって前記付勢力に抗して回動し、前記係止部材は、回動する前記解除部材の前記他端に応動することにより前記係合突起との係止が解除されるものである、第１の側面のロック機構付き保管箱であることを特徴とする。
【００１０】
又、本考案の第３の側面は、前記係止部材及び前記解除部材は、前記本体部からの付勢力により一時固定された、一体的な部材であって、
前記解除部材の他端は、前記硬貨収納路に収納された硬貨を介した押圧によって前記付勢力に抗して回動し、前記解除部材の前記一端でもある前記係止部材は、回動する前記解除部材の前記他端に応動することにより前記係合突起との係止が解除されるものである、第１の側面のロック機構付き保管箱であることを特徴とする。
【００１１】
又、本考案の第４の側面は、前記ロック機構は、前記筺体に設けられており、
前記圧接突起及び前記係合突起は、前記蓋部に設けられている、第１から第３のいずれかの側面のロック機構付き保管箱であることを特徴とする。
【００１２】
又、本考案の第５の側面は、前記ロック機構は前記蓋部又は前記筺体部から脱着自在であるとともに、
前記本体部をその内部に格納し、前記硬貨送出口から送出される硬貨を収蔵する硬貨収蔵部を更に有するものである、第１から第４のいずれかの側面のロック機構付き保管箱であることを特徴とする。
【考案の効果】
【００１３】
本考案によれば、配置販売等に好適な、簡易な構成で不正利用に対処することが可能になる、という顕著な効果を有するロック機構付き保管箱を提供することができる。
【図面の簡単な説明】
【００１４】
【図１】（ａ）本考案の実施の形態に係るロック機構付き保管箱の斜視図である。（ｂ）本考案の実施の形態に係るロック機構付き保管箱の解放状態を示す斜視図である。
【図２】本考案の実施の形態に係るロック機構付き保管箱のロック機構の外観を示す斜視図である。
【図３】本考案の実施の形態に係るロック機構付き保管箱のロック機構の内部構成を模式的に示す斜視図である。
【図４】（ａ）本考案の実施の形態に係るロック機構付き保管箱のロック機構の内部構成を模式的に示す側面図である。（ｂ）本考案の実施の形態に係るロック機構付き保管箱のロック機構の内部構成を模式的に示す側面図である。
【図５】（ａ）本考案の実施の形態に係るロック機構付き保管箱の動作を説明するための図である。（ｂ）本考案の実施の形態に係るロック機構付き保管箱の動作を説明するための図である。
【図６】（ａ）本考案の実施の形態に係るロック機構付き保管箱の動作を説明するための図である。（ｂ）本考案の実施の形態に係るロック機構付き保管箱の動作を説明するための図である。
【図７】本考案の実施の形態に係るロック機構付き保管箱の動作を説明するための図である。
【図８】（ａ）本考案の実施の形態に係るロック機構付き保管箱の動作を説明するための図である。（ｂ）本考案の実施の形態に係るロック機構付き保管箱の動作を説明するための図である。
【図９】（ａ）本考案の実施の形態に係るロック機構付き保管箱の動作を説明するための図である。（ｂ）本考案の実施の形態に係るロック機構付き保管箱の動作を説明するための図である。
【考案を実施するための形態】
【００１５】
以下、本考案の実施の形態を、図面を参照して説明する。
【００１６】
図１（ａ）（ｂ）は、本考案の実施の形態に係るロック機構付き保管箱の斜視図である。各図に示すように、本実施の形態に係るロック機構付き保管箱１は、それぞれ合成樹脂製である筺体部１０及び蓋部２０から構成される。なお、図１（ａ）は蓋部２０が閉じた状態、図１（ｂ）は蓋部２０が開いた状態をそれぞれ示す。
【００１７】
図１（ｂ）に示すように、ロック機構付き保管箱１は、筺体部１０と蓋部２０とが蝶番３０によって連接された片開き式の構成を有する。
【００１８】
筺体部１０の内部は格子状の隔壁１１によって複数の空間に区画されており、中央寄りであってもっとも縁部１２寄りの空間にはロック機構１００が収納されている。ロック機構１００の上面には、硬貨を挿入するためのスリット１１０が開口されている。又、図１（ａ）に示すように、蓋部２０においては、このスリット１１０近傍の領域に対応する部分に矩形状の開口２１が設けられている。
【００１９】
ロック機構１００は保管箱１の内径寸法の高さに対応した高さを有し、蓋部２０を閉じた状態では、スリット１１０は蓋部２０の上面とほぼ同一面上から外部に露出している。
【００２０】
又、蓋部２０の裏面には、長手方向に沿って桟２３が設けられており、桟２３の表面には、爪２４及び２５がそれぞれ設けられている。爪２４及び２５の詳細な構成及び機能については後述する。
【００２１】
次に、図２〜図４（ａ）（ｂ）を参照して、ロック機構１００の構成について説明する。ただし図２は、図１（ａ）に示す蓋部２０が閉じた状態における、ロック機構１００の背面側から正面側を見た斜視図、図３は内部構成を示す斜視図、図４（ａ）は図３に示す構成を、図３中向かって左側面から眺めた要部側面図、図４（ｂ）は図３に示す構成を、図３中向かって右側面から眺めた要部側面図である。ただし、説明のため、各部の縮尺は適宜誇張して示した。
【００２２】
図２に示すように、ロック機構１００は、後述するロック機構の動作部分を収納する上側箱体部１２０と、上側箱体部１２０と嵌合又は当接する、スリット１１０から挿入された硬貨を集積する下側箱体部１３０とを備えた中空の箱型形状を有する。
【００２３】
上側箱体部１２０の前面から上面にかけては、図１（ｂ）に示す蓋部２０が閉じた状態において爪２４及び２５をそれぞれ上側箱体部１２０の内部に侵入させるための溝１４０及び１５０が設けられており、スリット１１０は溝１４０及び１５０の間に位置している。又、上側箱体部１２０の左右両側面には、筺体部１０の隔壁１１に係止するための係止爪１２１が設けられており、係止爪１２１が、対応する凹部（図示省略）を備えた隔壁１１と係止することにより、ロック機構１００は筺体部１０に固定される。なお、本実施の形態においては上側箱体部１２０及び下側箱体部１３０は合成樹脂製であり、係止爪１２１は樹脂の弾性によって撓むことで隔壁１１との係合を行うものであるが、ロック機構１００と筺体部１０との固定箇所は他の部位であってもよい。又、ロック機構１００と筺体部１０との固定方法は、係止爪によらずネジ止め等の別途独立した部品を用いるものでもよい。
【００２４】
図３に示すように、上側箱体部１２０内に収納された動作部分１０１は、側面壁１１４ａ及び側面壁１１４ａと直交する正面壁１１４ｂとから構成されるＬ字型の前面板１１４と、正面壁１１４ｂの背面に離隔配置された背面板１１２と、前面板１１４と背面板１１２の間隙を左右両側面から塞ぐように設けられた左側板１１１及び右側板１１３と、正面壁１１４ｂの背面にボルト１４１により回動自在に固定された解除部材１１６と、側面壁１１４ａの背面にボルト１５１により回動自在に固定された圧接部材１１５と、解除部材１１６の端部１１６ｄと係合する係止部材１１７とから構成される。
【００２５】
前面板１１４、背面板１１２、左側板１１１及び右側板１１３は、それらの組み合わせにより上下端が解放された内部空間を形成し、上端は上側箱体部１２０のスリット１１０と連通するスリット１１０ａとして開口され、下端は左側板１１１及び右側板１１３が途切れることで開口を形成している。以下、この開口を含めた内部空間を硬貨収納路と称する。硬貨収納路は硬貨をその外径に沿って縦列に配列して配置可能な大きさを有する空間である。なお、図中ハッチングにて示す、前面板１１４、背面板１１２、左側板１１１及び右側板１１３の上部端面は、上側箱体部１２０の裏面との接合部分を示す。
【００２６】
次に、解除部材１１６は、一枚の金属又は樹脂製の板状部材を加工してなり、ボルト１４０が直接装着された部材本体部１１６ａ、部材本体部１１６ａから右側板１１３に向かって延伸して硬貨収納路の直下に位置する端部１１６ｂ、部材本体部１１６ａから上方であって、硬貨収納路と平行な向きに延伸して形成される渡り部１１６ｃ、及び渡り部１１６から屈曲して、側面壁１１４ａと平行な向きに延伸して形成される端部１１６ｄの４つの部分に分けられる。
【００２７】
又、係止部材１１７は、その一端である端部１１７ｂが解除部材１１６の端部１１６ｄと係合する一方で、図４（ｂ）に示すように、他端である端部１１７ａが爪２４の端部２４ａと係合している。更に、係止部材１１７は回転軸１１８を中心に回動可能であるが、回転軸１１８を貫通するねじりバネ１１９に接続されている。ねじりバネ１１９の他端は固定端１１４ｃにて正面壁１１４ｂに固定されている。したがって、係止部材１１７はねじりバネ１１９の復元力に起因して、図４（ｂ）において回転軸１１８に対して時計回り方向に向かって回動する付勢力をうける。
【００２８】
次に、圧接部材１１５は、一枚の金属又は樹脂製の板状部材を加工してなる。圧接部材１１５はボルト１５１を中心に回動可能であるが、係止部材１１７と同様、ボルト１５１を貫通するねじりバネ１５２の一端に接続されている。ねじりバネ１５２の他端は側面壁１１４ａに固定されているため（図示省略）、圧接部材１１５はねじりバネ１５２の復元力に起因して、図４（ａ）においてボルト１５１に対して反時計回りに向かって回動する付勢力をうける。
【００２９】
次に、図２に示すように、蓋部２０が閉じた状態においては、爪２４は上側箱体部１２０の溝１４０を介してロック機構１００の内部に挿入され、係止部材１１７の端部１１７ａと係合する。図４（ａ）に示すように、端部２４ａは側面形状が楔形であるため、挿入された端部１４ａに接触した端部１１７ａは、端部２４ａの挿入に沿って接触を保ったまま、端部２４ａのいわゆる返しの部分に回り込み、係合状態を完成する。この状態で蓋部２０を持ち上げても、端部２４ａの返しの部分が係止部材１１７の端部１１７ａと係合するため、蓋部２０は筺体部１０にロックされることとなる。
【００３０】
同様に、蓋部２０が閉じた状態においては、爪２５は上側箱体部１２０の溝１５０を介してロック機構１００の内部に挿入され、圧接部材１１５の端部１１５ａに当接する。図４（ｂ）に示すように、爪２５ａと一方の端部１１５ａとが当接した状態で押圧を受ける圧接部材１１５は、爪２５の挿入によって付勢力と逆向きの力が加わるため、時計回りに回転し、他方の端部１１５ｂが、左側板１１１の直下に形成された開口１６０を一部封鎖する領域１６１を形成する位置まで回動する。
【００３１】
以上述べたように、本考案の実施の形態にかかるロック機構付き保存箱１は、筺体部１０に固定したロック機構１００を設けたことにより、蓋部２０をいったん閉じるとそのままロックされ、不用意に開閉されることを防ぐことができる。
【００３２】
なお、図３に示した構成において、爪２４及び２５の記載は説明のために省略したが、図４（ａ）（ｂ）に示すのと同じ状態を示す。すなわち、図３においては、係止部材１１７は爪２４と係止した状態にあり、圧接部材１１５は爪２５からの押圧で開口１６０を一部封鎖するように回動した状態にある。又、図３においては省略して示したが、回転軸１１８の両端は、図４（ｂ）に示すように、上側箱体部１２０の天井部分に軸受け１１８ａにより回動自在に固定される。なお、ねじりバネ１１９の他端を固定する固定端１１４ｃも、軸受け１１８ａと同じく、上側箱体部１２０の天井部分となるようにしてもよい。
【００３３】
次に、ロックを解除して蓋部２０を開くための動作について、図１、図２並びに図５（ａ）（ｂ）〜図９を参照して、更に説明する。
【００３４】
図１（ａ）に示したように、蓋部２０の上面には開口２１を介してスリット１１０が外部に露出しており、利用者はスリット１１０に硬貨を挿入することができる。
【００３５】
図５（ａ）（ｂ）は、スリット１１０に硬貨が挿入された場合における、ロック機構１００の動作部分１０１の状態を模式的に示す図である。
【００３６】
図５（ｂ）に示すように、スリット１１０、１１０ａに投入された硬貨は、硬貨収納路内を滑落するが、左側板１１１及び右側板１１３の下端により形成される開口の下方には解除部材１１６の端部１１６ｂが位置しているため、最初に投入された硬貨２００ｂは端部１１６ｂにより係止される。又、図５（ａ）に示すように、左側板１１１の下方の空間１１６は硬貨２００ｂの外径よりも長い寸法を有する長孔であるが、圧接部材１１５の端部１１５ｂがその一部を封鎖していることにより、硬貨２００ｂは圧接部材１１５ｂによっても係止される。したがって硬貨２００ｂは下方に落下することなく、動作部分１０１内に固定される。
【００３７】
硬貨２００ｂに次いで投入された硬貨２００ａは、先に収納された硬貨２００ｂと接触し、その上端をスリット１１０及び１１０ａから外部に露出させた状態で硬貨収納路内に滞留する。
【００３８】
このように、前面板１１４、背面板１１２、左側板１１１、及び右側板１１３の配置、寸法、並びに端部１１６ｂ及び端部１１５ｂの配置は、硬貨収納路に硬貨が滞留した状態で、最後に挿入した硬貨の一部がスリット１１０及び１１０ａから外部に露出された状態となるように、設定されている。なお、上記の各部の配置によって形成される、硬貨を配置する空間が、本考案の間隙に相当する。
【００３９】
次に、図６（ｂ）に示すように、利用者が、露出した硬貨２００ａの上端を図中矢印Ａで示す向きに押し込むと、硬貨２００ｂ及び硬貨２００ａを介した押圧により解除部材１１６の端部１１６ｄが反時計回りに回動しつつ下方に移動する。解除部材１１６はボルト１４１を中心に回動自在に固定されているため、他方の端部１１６ｄは回動しつつ反時計回りに上方に移動することとなる。
【００４０】
このとき、図７に示すように、端部１１６ｄは係止部材１１７と係合しているが、解除部材１１６の回動により端部１１６ｄは上方に持ち上がり、係止部材１１７に印加される付勢力に抗して、係止部材１１７を図中反時計回りに回動させる。その結果、係止部材１１７の端部１１７ａは図中右上方に移動し、爪２４の端部２４ａとの係合が解除される。
【００４１】
このように、本実施の形態においては、スリット１１０から挿入した硬貨を利用者がさらに押圧することにより、ロック機構１００のロックを解除して、蓋部２０を開放可能な状態とすることができる。
【００４２】
次に、蓋部２０を開けた際の動作について説明する。
【００４３】
上述の動作により蓋部２０とロック機構１００のロックが解除された状態であっても、蓋部２０自体は動いていないため、図６（ａ）（ｂ）に示すように、硬貨２００ａ及び２００ｂは硬貨収納路に滞留した状態を維持する。
【００４４】
この状態で利用者が蓋部２０を開放すると、図８（ａ）（ｂ）に示すように、蓋部２０に設けられた爪２５が図中矢印Ｂ方向に持ち上がることにより、圧接部材１１５と爪２５との当接状態が解除され、圧接部材１１５はねじりバネ１５２（図８（ａ）（ｂ）においては図示省略）の付勢力に応じて図中反時計回りに回動する。
【００４５】
このとき、左側板１１１の直下の開口１６０は、圧接部材１１５の端部１１５ｂによる封止が解除され、全面的に解放される。
【００４６】
最後に、図９（ａ）（ｂ）に示すように、圧接部材１１５による封止が解除されると同時に、硬貨収納路に滞留していた硬貨２００ｂ及び２００ａは、開口１６０を介して、自重で下方へ落下する。図２に示したように、ロック機構１００の底部は下側箱体部１３０であるので、落下した硬貨２００ｂ及び２００ａは下側箱体部１３０に集積されることとなる。
【００４７】
以上説明したように、本実施の形態のロック機構付き保管箱は、硬貨を鍵として用いるロック機構１００を有し、ロック機構１００に一端収納した硬貨を利用者が更に押圧することで筺体部１０と蓋部２０とのロックを解除することができることを特徴とする。電力等の外力によらない動作を実現したことで、低コストでセキュリティに優れ、不正使用に対処可能な保管箱を実現している。
【００４８】
更に、ロック機構１００においては、収納する硬貨の枚数に応じて硬貨収納路の長さが設計されるため、一回のロック解除動作に要する料金を一意に設定することができる。上記の説明では硬貨２００ａ及び２００ｂの２枚の硬貨としたが、硬貨の枚数は１枚であってもよいし、３枚以上であってもよい。この構成は特に、置き薬、置き菓子のような、単価があらかじめ揃った商品を扱う配置販売に好適である。
【００４９】
なお、本考案のロック機構付き保管箱が実施される配置販売とは、法定対象である医薬品等のみを対象とするものではなく、絆創膏、包帯等の消費財、健康食品、栄養ドリンク、ビタミン剤、ゼリー状食品その他の機能性食品、菓子類等、顧客の元に保管された状態で消費される物品であれば、いかなる商品を対象とするものであってもよい。
【００５０】
なお、上記の説明においては、ロック機構付き保管箱１は本考案のロック機構付き保管箱に相当する。又、筺体部１０は本考案の筺体に相当し、蓋部２０は本考案の蓋部に相当する。又、ロック機構１００は本考案のロック機構に相当する。
【００５１】
更に、ロック機構１００の動作部分１０１は本考案の本体部、圧接部材及び係止手段を構成する。又、スリット１１０ａは本考案の硬貨挿入口に相当し、硬貨収納路は本考案の硬貨収納路に相当し、硬貨収納路の下端となる、前面板１１４、背面板１１２、並びに左側板１１１及び右側板１１３の各下端により形成される、開口１６０を含めた開口部分は、本考案の硬貨送出口に相当する。
【００５２】
又、圧接部材１１５は本考案の圧接部材に相当する。解除部材１１６及び係止部材１１７は本考案の解除部材及び係止部材にそれぞれ相当するとともに、本考案の係止手段を構成する。又、前面板１１４、背面板１１２、左側板１１１及び右側板１１３、並びにねじりバネ１１９及び１５２は、本考案の本体部を構成する。又、爪２４は本考案の係合突起に相当し、爪２５は本考案の圧接突起に相当し、上側箱体部１２０及び下側箱体部１３０は、本考案の硬貨収蔵部に相当する。
【００５３】
しかしながら、本考案は上記実施の形態の記載内容に限定されるものではない。上記の説明においては、ロック機構は筺体側に設けるものとしたが、蓋部側に設けるようにしてもよい。この場合、係合突起及び突起は筺体側に設けるようにする。又、本考案の係止手段は、それぞれ独立した解除部材１１６及び係止部材１１７から構成されるものとしたが、両者を一体化した部材として実現してもよい。更に、保管箱１は蝶番３０によって連接された蓋部２０と筺体部１０とを有する片開き式であるとしたが、本考案は、両開き型の箱において実現してもよい。又、蓋部と筺体とが分離する構成において実現してもよい。又、上記の説明においては、本体部側から付勢力を与える手段はねじりバネ１１９，１５２であるとしたが、板バネ、タケノコバネ等であってもよく、バネの種類、材料によって限定されるものではない。さらに、所定形状に整形した樹脂、ゴム等の弾性体によって付勢力を与えてもよく、その具体的な形状、構成によって限定されるものではない。又、爪２４の外形、断面形状も係合突起として係止部材と係止することが可能であれば、図示した断面くさび型に限定されることなく、断面キノコ型、断面コの字状等他の形状であってよい。同様に、爪２５の外形、断面形状もそれぞれ圧接突起として圧接部材に圧接することが可能であれば、図示した形状に限定されることなく、任意の多角形、曲面等他の形状であってよい。
【００５４】
又、上記の説明においては、スリット１１０から露出する硬貨２００ａの一部は、面積においてスリット１１０の奥に収納されている部分より小さいものであったが、係止手段の作用を発揮できる限りにおいて、外部への硬貨の露出の程度は任意に設定してよい。要するに、本考案の要旨を逸脱しない範囲内であれば、上記実施の形態に種々の変更を加えてもよい。
【産業上の利用可能性】
【００５５】
以上のような本考案によれば、簡易な構成で不正利用に対処することが可能になるという顕著な効果を有し、一例としては、配置販売の救急箱、や菓子箱に好適である。
【符号の説明】
【００５６】
１      ロック機構付き保管箱
１０      筺体部
１１      隔壁
１２      縁部
２０      蓋部
２１      開口
２３      桟
２４、２５      爪
１００      ロック機構
１１０、１１０ａ      スリット
１１１      左側板
１１２      背面板
１１３      右側板
１１４      前面板
１１６      解除部材
１１７      係止部材
１１８      回転軸
１１９、１５２      ねじりバネ
１２０      上側箱体部
１３０      下側箱体部
１４０、１５０      溝
１４１、１５１      ボルト
２００ａ、２００ｂ      硬貨
【図１】
0003154661.tif 000003
【図２】
0003154661.tif 000004
【図３】
0003154661.tif 000005
【図４】
0003154661.tif 000006
【図５】
0003154661.tif 000007
【図６】
0003154661.tif 000008
【図７】
0003154661.tif 000009
【図８】
0003154661.tif 000010
【図９】
0003154661.tif 000011